(57)【要約】【課題】立上げミラーの数を削減できるとともに収差の発生もなく、しかも、ミラーの反射面と対物レンズとを正確に位置決めすることが可能な光ピックアップを提供する。【解決手段】半導体レーザ１１，１２から投射された光ビームＬ１，Ｌ２を反射して対物レンズ２１，２２へ導く回動自在なミラー３０と、このミラー３０を回動させるモータ３４とを設ける。ミラー３０は、各光ビームＬ１，Ｌ２を全反射する反射面３１，３２を両端部に有している。半導体レーザ１２からの光ビームＬ２を対物レンズ２２へ導く場合は、モータ３４によりミラー３０を実線位置から破線位置へ１８０°回動させ、光ビームＬ２を反射面３２で反射させて対物レンズ２２へ導く。【選択図】図１
2008171469.tif 000002
【特許請求の範囲】
【請求項１】
所定の波長を有する光ビームを投射する第１の光源と、前記波長と異なる波長を有する光ビームを投射する第２の光源と、第１の光源から出射された光ビームを光ディスクに集光させる第１の対物レンズと、第２の光源から投射された光ビームを光ディスクに集光させる第２の対物レンズとを有する光ピックアップにおいて、
前記第１または第２の光源から投射された光ビームを反射して、前記第１または第２の対物レンズへ導く回動自在なミラーと、このミラーを回動させる駆動手段とを設け、
前記ミラーは、前記２つの対物レンズの配列方向に延びる本体の両端部に、光ビームを直角に全反射する第１および第２の反射面をそれぞれ有するとともに、前記本体の長手方向の中央より一方の反射面側に寄った位置で回動自在に支持されており、
第１の光源からの光ビームを光ディスクに投射するときは、前記ミラーが第１の回動位置にあり、当該回動位置では、第１の反射面が第１の対物レンズと対向していて、第１の光源からの光ビームが第１の反射面で反射して第１の対物レンズへ導かれ、
第２の光源からの光ビームを光ディスクに投射するときは、前記駆動手段により、前記ミラーが第１の回動位置から１８０°回動して第２の回動位置に移り、当該回動位置では、第２の反射面が第２の対物レンズと対向していて、第２の光源からの光ビームが第２の反射面で反射して第２の対物レンズへ導かれ、
かつ、前記第１または第２の回動位置において対物レンズの位置ずれによる収差があるときは、前記駆動手段により前記ミラーを所定量だけ回転させて収差の補正を行うことを特徴とする光ピックアップ。
【請求項２】
互いに異なる波長を有する光ビームを投射する複数個の光源と、各光源から投射された光ビームをそれぞれ光ディスクに集光させる複数個の対物レンズとを有する光ピックアップにおいて、
前記光源から投射された光ビームを反射して前記対物レンズへ導く回動自在なミラーと、このミラーを回動させる駆動手段とを設け、
前記ミラーは、各光ビームを全反射する複数の反射面を有しており、
前記反射面のうちの１つが対物レンズと対向するように、前記駆動手段で前記ミラーを所定の回動位置まで一定角度回動させ、光ビームが当該反射面で反射して対向する対物レンズへ導かれるようにしたことを特徴とする光ピックアップ。
【請求項３】
請求項２に記載の光ピックアップにおいて、
前記ミラーを前記回動位置で停止させるための位置規制部材を設けたことを特徴とする光ピックアップ。
【請求項４】
請求項２に記載の光ピックアップにおいて、
前記回動位置において対物レンズの位置ずれによる収差があるときは、前記駆動手段により前記ミラーを所定量だけ回転させて収差の補正を行うことを特徴とする光ピックアップ。
【発明の詳細な説明】
【技術分野】
【０００１】
本発明は、ＤＶＤレコーダ等に搭載される光ピックアップに関し、特に、複数の対物レンズを備えた光ピックアップに関するものである。
【背景技術】
【０００２】
図１０は、従来の複数メディア対応型光ピックアップの概略構成図を示している。図において、１０はＣＤ（Compact Disc）、ＤＶＤ（Digital  Versatile Disc）、ＢＤ（Blu-ray Disc；登録商標）などの光ディスク、１００はこの光ディスク１０に対して情報の記録や再生を行う光ピックアップである。
【０００３】
光ピックアップ１００は、半導体レーザ１１，１２と、プリズム１３と、立上げミラー１４，１５と、対物レンズ２１，２２を保持したアクチュエータ２０とを備えている。半導体レーザ１１は、例えばＣＤおよびＤＶＤ用の光源であって、波長７８０ｎｍの赤外レーザ光と、波長６５０ｎｍの赤色レーザ光を投射する２つのレーザダイオードを内蔵している。半導体レーザ１２は、例えばＢＤ用の光源であって、波長４０５ｎｍの青色レーザ光を投射するレーザダイオードを内蔵している。なお、図１０では、光ディスク１０で反射した光ビームを受光する受光系の図示を省略してある。
【０００４】
プリズム１３は、半導体レーザ１１から投射された光ビーム（レーザ光）Ｌ１を９０°の角度で反射し、半導体レーザ１２から投射された光ビーム（レーザ光）Ｌ２はそのまま透過させる光学素子である。立上げミラー１４は、半導体レーザ１１からの光ビームＬ１を透過させ、半導体レーザ１２からの光ビームＬ２を上方へ９０°の角度で反射する光学素子である。立上げミラー１５は、立上げミラー１４を透過した半導体レーザ１１からの光ビームＬ１を上方へ９０°の角度で反射する光学素子である。
【０００５】
対物レンズ２１，２２は、開口数（ＮＡ）の異なる凸レンズからなる。対物レンズ２１は、立上げミラー１５と対向しており、立上げミラー１５で反射された半導体レーザ１１からの光ビームＬ１を、光ディスク１０に集光させる。対物レンズ２２は、立上げミラー１４と対向しており、立上げミラー１４で反射された半導体レーザ１２からの光ビームＬ２を、光ディスク１０に集光させる。これらの対物レンズ２１，２２は、アクチュエータ２０に保持されている。アクチュエータ２０は、例えば後掲の特許文献１に記載されているような、公知のワイヤサスペンション型のアクチュエータであって、図示しないワイヤにより可動状態に保持されている。アクチュエータ２０には、フォーカシング動作を行うためのフォーカスコイルや、トラッキング動作を行うためのトラッキングコイルが備わっている（図示省略）。
【０００６】
ＣＤ、ＤＶＤに対して記録再生を行う場合は、半導体レーザ１１を駆動すると、半導体レーザ１１から光ビームＬ１が投射され、この光ビームＬ１は、プリズム１３で反射されて立上げミラー１４へ向かい、立上げミラー１４を透過して立上げミラー１５へ入射する。そして、立上げミラー１５で反射した光ビームＬ１は、対物レンズ２１に入射し、光ディスク１０に集光される。なお、立上げミラー１４は波長選択性を有するので、光ビームＬ１が立上げミラー１４で反射して対物レンズ２２に入射することはない。
【０００７】
一方、ＢＤに対して記録再生を行う場合は、半導体レーザ１２を駆動すると、半導体レーザ１２から光ビームＬ２が投射され、この光ビームＬ２は、プリズム１３を透過して立上げミラー１４へ向かい、立上げミラー１４で反射されて対物レンズ２２に入射し、光ディスク１０に集光される。この場合も、立上げミラー１４の波長選択性により、光ビームＬ２が立上げミラー１４を透過して立上げミラー１５で反射し対物レンズ２１に入射することはない。
【０００８】
このような２つの対物レンズを備えた光ピックアップは、後掲の特許文献２〜４にも記載されている。特許文献２には、電気的に光の進行方向を切り換えて、光源からの光を第１および第２対物レンズのいずれかに選択的に入射させる光路切換ユニットを備えた光ピックアップが記載されている。特許文献３には、光源からのレーザ光を、偏光ビームスプリッタにより直交する２方向の偏光成分に分離した後、１／４波長板で円偏光に変換して、各偏光成分が第１および第２の対物レンズに別々に入射するようにした光ピックアップが記載されている。特許文献４には、偏光反射ミラーおよび対物レンズを備えた第１の光ヘッドと、全反射ミラーおよび対物レンズを備えた第２の光ヘッドとを、同一軌跡上を移動するように配置し、それぞれが別々のヘッドとして機能できるようにした光ピックアップが記載されている。
【０００９】
ところで、図１０のような光ピックアップ１００にあっては、対物レンズ２１に対応する立上げミラー１５と、対物レンズ２２に対応する立上げミラー１４とを設け、これらの立上げミラーによって光ビームＬ１，Ｌ２を対物レンズ２１，２２にそれぞれ導いているので、複数の立上げミラー１４，１５が必要となり、組立作業や調整に手間を要するという問題がある。さらに、立上げミラー１４の張り合わせ面には、光ビームの一方Ｌ１を透過させ他方Ｌ２を反射させるための波長選択性を有する膜１６が存在するため、この膜１６の厚みの分だけ透過光に収差が発生し、光ディスク１０に対する記録再生精度が劣化するという問題がある。
【００１０】
また、前述の特許文献２〜４に記載されている光ピックアップにおいても、各対物レンズに対応して複数のミラー等が設けられているために、上述したのと同様の問題がある。
【００１１】
一方、後掲の特許文献５には、シリコン基板に並置された２つの半導体レーザから出射したレーザ光が、プリズムの互いに略平行な反射面で反射して、ほぼ同一の光軸に沿って出射するようにした光ピックアップが記載されている。しかしながら、本文献のものは、対物レンズが１つ設けられているだけであり、本発明のように複数の対物レンズを備えた光ピックアップとは対象が異なる。
【００１２】
前述のような、複数の立上げミラーが必要となることで組立作業や調整が煩雑化するという問題や、立上げミラーにおける波長選択性の膜により収差が発生するという問題は、立上げミラーを１つにして対物レンズを回転させるようにすれば解決することができる。しかしながら、このためには、アクチュエータが軸摺動型のものでなければならず、ワイヤサスペンション型のアクチュエータにはこの方法を適用することができない。
【００１３】
そこで、下記の特許文献１のように、単一の立上げミラーを複数の対物レンズの配列方向と同じ方向に平行移動させ、立上げミラーの位置に応じて対物レンズを切り替えるようにすることが考えられる。これによると、ワイヤサスペンション型のアクチュエータにも適用が可能であり、立上げミラーの数を削減しつつ、収差の問題も解消することができる。
【００１４】
【特許文献１】特開平９−１７００５号公報
【特許文献２】特開２００６−２４３５１号公報
【特許文献３】特開平９−２１２９０５号公報
【特許文献４】特開平６−１６２５５６号公報
【特許文献５】特開２０００−３２２７５９号公報
【発明の開示】
【発明が解決しようとする課題】
【００１５】
しかしながら、特許文献１のように立上げミラーを平行移動させる方式では、ミラーの駆動機構を構成するラックとピニオンとの歯合部分に微小間隙が存在するため、いわゆるバックラッシュが発生し、ミラーを所定位置に正確に位置決めして停止させることが困難である。このため、立上げミラーの反射面と対物レンズとの間にミラー移動方向の位置ずれが生じ、光ディスク上に安定した光スポットを形成できなくなるという問題がある。
【００１６】
そこで、本発明の目的は、立上げミラーの数を削減できるとともに収差の発生もなく、しかも、ミラーの反射面と対物レンズとを正確に位置決めすることが可能な光ピックアップを提供することにある。
【課題を解決するための手段】
【００１７】
本発明では、互いに異なる波長を有する光ビームを投射する複数個の光源と、各光源から投射された光ビームをそれぞれ光ディスクに集光させる複数個の対物レンズとを有する光ピックアップにおいて、光源から投射された光ビームを反射して対物レンズへ導く回動自在なミラーと、このミラーを回動させる駆動手段とを設ける。ミラーは、各光ビームを全反射する複数の反射面を有している。そして、反射面のうちの１つが対物レンズと対向するように、駆動手段でミラーを所定の回動位置まで一定角度回動させ、光ビームが当該反射面で反射して対向する対物レンズへ導かれるようにしている。
【００１８】
このようにすると、駆動手段でミラーを回動させることにより、回動位置に応じてミラーの反射面と対向する対物レンズを切り替えることができ、１つのミラーで複数の対物レンズへ光ビームを導くことができる。そして、ミラーには、光ビームを全反射する反射面だけを設ければよく、光ビームの透過／反射を選択するための膜を形成する必要がないので、ミラー自体の構造が簡単になるとともに、膜による収差の発生も回避することができる。さらに、本発明では、ミラーの駆動手段として、特許文献１のような平行移動機構ではなく、回転機構を採用しているので、ミラーの回転中心から反射面までの距離が一義的に定まり、平行移動の場合のようなバックラッシュの発生がない。このため、ミラーの反射面と対物レンズとを正確に位置決めすることが可能となり、光ディスク上に安定した光スポットを形成することができる。
【００１９】
本発明においては、ミラーを所定の回動位置で停止させるための位置規制部材を設けてもよい。このようにすれば、駆動手段でミラーを回動させた場合に、位置規制部材によってミラーを所定位置で確実に停止させることができるので、ミラーの反射面と対物レンズとをより正確に位置決めすることが可能となる。
【００２０】
また、本発明においては、回動位置において対物レンズの位置ずれによる収差があるときは、駆動手段によりミラーを所定量だけ回転させて収差の補正を行うようにしてもよい。このようにすれば、駆動手段が収差補正手段を兼用するので、たとえミラーの反射面と対物レンズとの間に位置ずれがあって収差が生じたとしても、駆動手段によりミラーを所定量回転させることで、収差を補正することができる。
【００２１】
本発明の典型的な実施形態では、所定の波長を有する光ビームを投射する第１の光源と、前記波長と異なる波長を有する光ビームを投射する第２の光源と、第１の光源から出射された光ビームを光ディスクに集光させる第１の対物レンズと、第２の光源から投射された光ビームを光ディスクに集光させる第２の対物レンズとを有する光ピックアップにおいて、第１または第２の光源から投射された光ビームを反射して、第１または第２の対物レンズへ導く回動自在なミラーと、このミラーを回動させる駆動手段とが設けられる。ミラーは、２つの対物レンズの配列方向に延びる本体の両端部に、光ビームを直角に全反射する第１および第２の反射面をそれぞれ有するとともに、本体の長手方向の中央より一方の反射面側に寄った位置で回動自在に支持されている。
第１の光源からの光ビームを光ディスクに投射するときは、ミラーが第１の回動位置にあり、当該回動位置では、第１の反射面が第１の対物レンズと対向していて、第１の光源からの光ビームが第１の反射面で反射して第１の対物レンズへ導かれる。また、第２の光源からの光ビームを光ディスクに投射するときは、駆動手段により、ミラーが第１の回動位置から１８０°回動して第２の回動位置に移り、当該回動位置では、第２の反射面が第２の対物レンズと対向していて、第２の光源からの光ビームが第２の反射面で反射して第２の対物レンズへ導かれる。
さらに、第１または第２の回動位置において対物レンズの位置ずれによる収差があるときは、駆動手段によりミラーを所定量だけ回転させて収差の補正を行う。
【発明の効果】
【００２２】
本発明によれば、複数の反射面を有するミラーを回動させて対物レンズを切り替えるようにしたので、立上げミラーは１つで済み、また、波長選択性を有する膜が不要となるため、膜による収差の発生も防止することができる。さらに、回動方式のミラー駆動手段を採用したことで、ミラーの反射面と対物レンズとを正確に位置決めすることが可能となり、光ディスク上に安定した光スポットを形成することができる。
【発明を実施するための最良の形態】
【００２３】
以下、本発明の実施形態につき、図面を参照しながら説明する。図１は、本発明の実施形態に係る光ピックアップを示す概略構成図である。図において、１０はＣＤ、ＤＶＤ、ＢＤなどの光ディスク、１はこの光ディスク１０に対して情報の記録や再生を行う光ピックアップである。
【００２４】
光ピックアップ１は、半導体レーザ１１，１２と、プリズム１３と、本発明の特徴をなすミラー３０と、このミラー３０を回動させるモータ３４と、対物レンズ２１，２２を保持したアクチュエータ２０とを備えている。半導体レーザ１１，１２、プリズム１３およびアクチュエータ２０に関しては、図１０に示したものと同じである。なお、図１では、光ディスク１０で反射した光ビームを受光する受光系の図示を省略してある。
【００２５】
半導体レーザ１１は、例えばＣＤおよびＤＶＤ用の光源であって、波長７８０ｎｍの赤外レーザ光と、波長６５０ｎｍの赤色レーザ光を投射する２つのレーザダイオードを内蔵している。半導体レーザ１２は、例えばＢＤ用の光源であって、波長４０５ｎｍの青色レーザ光を投射するレーザダイオードを内蔵している。
【００２６】
プリズム１３は、半導体レーザ１１から投射された光ビーム（レーザ光）Ｌ１を９０°の角度で反射し、半導体レーザ１２から投射された光ビーム（レーザ光）Ｌ２はそのまま透過させる光学素子である。
【００２７】
ミラー３０は、棒状の台形体に形成されていて、対物レンズ２１，２２の配列方向（図１の左右方向）に延びる本体の両端部に、光ビームＬ１，Ｌ２を直角に全反射する反射面３１，３２をそれぞれ有するとともに、本体の長手方向の中央より一方の反射面３１側に寄った位置で、回転軸３３により、矢印ａ，ｂ方向に回動自在に支持されている。回転軸３３は、モータ３４に連結されている。モータ３４は、本発明における駆動手段の一実施形態を構成しており、例えばステッピングモータからなる。
【００２８】
図３は、ミラー３０の斜視図を示している。（ａ）は、モータ３４により回転軸３３がａ方向に回転して、ミラー３０が図１の実線位置まで回動した状態を示しており、（ｂ）は、モータ３４により回転軸３３がｂ方向に回転して、ミラー３０が図１の破線位置まで回動した状態を示している。
【００２９】
対物レンズ２１，２２は、開口数（ＮＡ）の異なる凸レンズからなる。対物レンズ２１は、ミラー３０が実線位置にあるときに、ミラー３０の一端の反射面３１と対向し、反射面３１で反射した半導体レーザ１１からの光ビームＬ１を、光ディスク１０に集光させる。対物レンズ２２は、ミラー３０が回転軸３３を中心として実線位置から１８０°回動して破線位置に来たときに、ミラー３０の他端の反射面３２と対向し、反射面３２で反射した半導体レーザ１２からの光ビームＬ２を、光ディスク１０に集光させる。これらの対物レンズ２１，２２は、アクチュエータ２０に保持されている。アクチュエータ２０は、前掲の特許文献１に記載されているような、公知のワイヤサスペンション型のアクチュエータであって、図示しないワイヤにより可動状態に保持されている。アクチュエータ２０には、フォーカシング動作を行うためのフォーカスコイルや、トラッキング動作を行うためのトラッキングコイルが備わっている（図示省略）。
【００３０】
図２は、光ピックアップ１が搭載される装置（ＤＶＤレコーダ等）の部分ブロック図である。２は信号検出回路であって、光ピックアップ１の出力に基づいて、再生信号、フォーカスエラー信号、トラッキングエラー信号を検出する。３はサーボ制御部であって、信号検出回路２で検出されたフォーカスエラー信号およびトラッキングエラー信号に基づいて、光ピックアップ１におけるフォーカス制御のためのフォーカス制御信号、およびトラッキング制御のためのトラッキング制御信号を出力する。フォーカス制御信号は、光ピックアップ１のフォーカスコイル（図示省略）に与えられ、トラッキング制御信号は光ピックアップ１のトラッキングコイル（図示省略）に与えられる。また、光ピックアップ１のモータ３４には、図示しないマイクロコンピュータ（以下「マイコン」という。）からミラー切替信号が与えられる。４は光ディスク１０を回転させるためのディスクモータ、５はこのディスクモータ４を駆動するモータ駆動回路である。モータ駆動回路５には、図示しないマイコンからディスク駆動信号が与えられる。
【００３１】
ＣＤ、ＤＶＤに対して記録再生を行う場合は、ミラー３０が図１の実線で示した回動位置にあり（図３（ａ）の状態）、ミラー３０の反射面３１が対物レンズ２１と対向している。この状態で半導体レーザ１１を駆動すると、半導体レーザ１１から光ビームＬ１が投射され、この光ビームＬ１は、プリズム１３で反射されてミラー３０の反射面３１へ向かう。そして、反射面３１で反射した光ビームＬ１は、対物レンズ２１に入射し、光ディスク１０に集光される。なお、反射面３１は鏡面からなり、光ビームＬ１は反射面３１で全反射して対物レンズ２１に導かれる。
【００３２】
一方、ＢＤに対して記録再生を行う場合は、マイコンからモータ３４にミラー切替信号を与えてモータ３４を所定ステップ数だけ駆動し、ミラー３０を図１の実線位置から破線位置まで１８０°回動させる（図３（ｂ）の状態）。この回動位置では、ミラー３０の反射面３２が対物レンズ２２と対向する。この状態で半導体レーザ１２を駆動すると、半導体レーザ１２から光ビームＬ２が投射され、この光ビームＬ２は、プリズム１３を透過してミラー３０の反射面３２へ向かう。そして、反射面３２で反射した光ビームＬ２は、対物レンズ２２に入射し、光ディスク１０に集光される。なお、反射面３２は反射面３１と同様に鏡面からなり、光ビームＬ２は反射面３２で全反射して対物レンズ２２に導かれる。
【００３３】
このように、本実施形態においては、モータ３４でミラー３０を回動させることにより、回動位置に応じてミラー３０の反射面３１，３２と対向する対物レンズ２１，２２を切り替えることができ、１つのミラー３０で２つの対物レンズ２１，２２へ光ビームＬ１，Ｌ２をそれぞれ導くことができる。そして、ミラー３０には、光ビームＬ１，Ｌ２を全反射する反射面３１，３２だけを設ければよく、図１０のような光ビームＬ１，Ｌ２の透過／反射を選択するための膜１６を形成する必要がないので、ミラー３０自体の構造が簡単になるとともに、膜による収差の発生も回避することができる。さらに、本実施形態では、ミラー３０の駆動手段として、モータ３４による回転機構を採用しているので、ミラー３０の回転中心（すなわち回転軸３３）から反射面３１，３２までの距離が一義的に定まり、平行移動の場合のようなバックラッシュの発生がない。このため、ミラー３０の反射面３１，３２と対物レンズ２１，２２とを正確に位置決めすることが可能となり、光ディスク１０上に安定した光スポットを形成することができる。
【００３４】
図４は、本発明の他の実施形態を示す斜視図である。図４では、図１〜図３と同一部分に同一符号を付してある。本実施形態では、ミラー３０を所定の回動位置（図１の実線位置および破線位置）で停止させるためのコ字型の位置規制部材３５，３６が設けられている。各位置規制部材３５，３６は、ミラー３０の回動の障害にならない位置に配置される。一方の位置規制部材３５は、ミラー３０がａ方向に回動したときに、ミラー３０の側面に当接して、反射面３１を対物レンズ２１に対して正確に位置決めする。また、他方の位置規制部材３６は、ミラー３０がｂ方向に回動したときに、ミラー３０の側面に当接して、反射面３２を対物レンズ２２に対して正確に位置決めする。なお、位置規制部材３５，３６の形状は、図示したようなコ字型に限らず、任意の形状（例えばＬ字型）を採用することができる。また、位置規制部材３５，３６の材質は、金属であってもよいし樹脂であってもよい。
【００３５】
このように、ミラー３０の回動位置を規制する位置規制部材３５，３６を設けると、モータ３４でミラー３０を回動させた場合に、位置規制部材３５，３６によってミラー３０を所定位置で確実に停止させることができるので、ミラー３０の反射面３１，３２と対物レンズ２１，２２とをより正確に位置決めすることが可能となる。
【００３６】
図５は、本発明の他の実施形態を説明する図である。本実施形態においては、上述したような方法でミラー３０を回動させて対物レンズ２１，２２を切り替えた後、光ビームの収差を測定して、収差がある場合には、モータ３４を所定量だけ回転させて収差の補正を行う。例えば、図５（ａ）のように、ミラー３０をａ方向に微小量回動して、実線位置から破線位置へ変位させ、反射面３２で反射する光ビームＬ２の光路をＬａのように補正したり、図５（ｂ）のように、ミラー３０をｂ方向に微小量回動して、実線位置から破線位置へ変位させ、反射面３２で反射する光ビームＬ２の光路をＬｂのように補正したりする。なお、本実施形態では、図４で示した位置規制部材３５，３６は設けられない。また、収差の測定にあたっては、例えば再生信号のジッタ量を検出するなど公知の方法を用いることができる。
【００３７】
このようにすれば、モータ３４が収差補正手段を兼用するので、例えばアクチュエータ２０の位置制御において、ミラー３０の反射面３１，３２と対物レンズ２１，２２との間に位置ずれが生じて収差が発生したとしても、モータ３４によりミラー３０を所定量回転させることで、収差を補正することができる。
【００３８】
図６は、本発明の他の実施形態によるミラー４０の斜視図である。ミラー４０は、互いに直交する長さの異なる２つのアーム部４１，４２を備えており、これらのアーム部４１，４２の先端部に、光ビームを全反射させる反射面４３，４４がそれぞれ形成されている。４５はミラー４０を回動させる回転軸であって、モータ（図示省略）に連結されている。本実施形態では、ミラー４０を９０°回転させることにより、反射面４３，４４を、それぞれに対応する対物レンズ（図示省略）に対向させて、対物レンズを切り替えることができる。
【００３９】
図７は、本発明の更に他の実施形態によるミラー５０の斜視図である。ミラー５０は、角度θで交わる長さの異なる２つのアーム部５１，５２を備えており、これらのアーム部５１，５２の先端部に、光ビームを全反射させる反射面５３，５４がそれぞれ形成されている。５５はミラー５０を回動させる回転軸であって、モータ（図示省略）に連結されている。本実施形態では、ミラー５０を角度θだけ回転させることにより、反射面５３，５４を、それぞれに対応する対物レンズ（図示省略）に対向させて、対物レンズを切り替えることができる。
【００４０】
以上述べた実施形態では、ミラーを回動させる駆動手段としてモータ３４を用いた例を挙げたが、本発明はこれのみに限定されるものではなく、モータ以外の駆動手段を用いることも可能である。図８は、図６に示したミラー４０の駆動手段として磁石を用いた実施形態を示す上面図である。図において、図６と同一部分には同一符号を付してある。本実施形態では、ミラー４０のアーム部４１の先端部側壁にマグネット（永久磁石）６１が取り付けられているとともに、アーム部４２の先端部側壁にマグネット（永久磁石）６２が取り付けられている。６３は、ミラー４０が図８（ａ）の位置にあるときに、アーム部４１のマグネット６１と対向する電磁石である。６４は、ミラー４０が図８（ｂ）の位置にあるときに、アーム部４２のマグネット６２と対向する電磁石である。６５は、ミラー４０の回転軸である。
【００４１】
図８（ａ）の状態では、アーム部４２の反射面４４が一方の対物レンズ２１と対向している。この状態から、電磁石６３をマグネット６１と対向する側がＮ極となるように励磁し、電磁石６４をマグネット６２と対向する側がＳ極となるように励磁すると、電磁石６３とマグネット６１との間に反発力が生じて、ミラー４０は回転軸６５を中心として矢印方向（時計回り方向）に回動する。そして、電磁石６４とマグネット６２との間に作用する吸引力により、アーム部４２が電磁石６４に引き寄せられ、ミラー４０は図８（ｂ）の位置まで９０°回動する。このとき、アーム部４２は、図示しない位置規制部材により回動位置が規制される。そして、この状態で、アーム部４１の反射面４３が他方の対物レンズ２２と対向する。
【００４２】
次に、図８（ｂ）の状態から、図９（ａ）に示すように、電磁石６４をマグネット６２と対向する側がＮ極となるように励磁し、電磁石６３をマグネット６１と対向する側がＳ極となるように励磁すると、電磁石６４とマグネット６２との間に反発力が生じて、ミラー４０は回転軸６５を中心として矢印方向（反時計回り方向）に回動する。そして、電磁石６３とマグネット６１との間に作用する吸引力により、アーム部４１が電磁石６３に引き寄せられ、ミラー４０は図９（ｂ）の位置まで９０°回動する。このとき、アーム部４１は、図示しない位置規制部材により回動位置が規制される。これにより、アーム部４２の反射面４４が対物レンズ２１と対向し、ミラー４０は図８（ａ）と同じ状態に戻る。
【００４３】
上述した実施形態では、２個の対物レンズ２１，２２を備えた光ピックアップを例に挙げたが、本発明は、３個以上の対物レンズを備えた光ピックアップに対しても、同様に適用することができる。例えば、対物レンズが３つの場合は、先端部に反射面を有する３本の長さの異なるアーム部を備えたミラーを用い、このミラーの回動位置を３箇所に設定することにより、回動位置に応じて対物レンズを切り替えるようにすればよい。
【図面の簡単な説明】
【００４４】
【図１】本発明の実施形態に係る光ピックアップを示す概略構成図である。
【図２】光ピックアップが搭載される装置の部分ブロック図である。
【図３】ミラーの斜視図である。
【図４】本発明の他の実施形態を示す斜視図である。
【図５】本発明の他の実施形態を説明する図である。
【図６】本発明の他の実施形態によるミラーの斜視図である。
【図７】本発明の更に他の実施形態によるミラーの斜視図である。
【図８】本発明の他の実施形態を示す上面図である。
【図９】本発明の他の実施形態を示す上面図である。
【図１０】従来の複数メディア対応型光ピックアップの概略構成図である。
【符号の説明】
【００４５】
１    光ピックアップ
１０  光ディスク
１１，１２  半導体レーザ
２０  アクチュエータ
２１，２２  対物レンズ
３０，４０，５０  ミラー
３１，３２，４３，４４，５３，５４  反射面
３４  モータ
３５，３６  位置規制部材
６１，６２  マグネット
６３，６４  電磁石
Ｌ１，Ｌ２  光ビーム
【図１】
2008171469.tif 000003
【図２】
2008171469.tif 000004
【図３】
2008171469.tif 000005
【図４】
2008171469.tif 000006
【図５】
2008171469.tif 000007
【図６】
2008171469.tif 000008
【図７】
2008171469.tif 000009
【図８】
2008171469.tif 000010
【図９】
2008171469.tif 000011
【図１０】
2008171469.tif 000012